(57)【特許請求の範囲】
【請求項１】
第１の画像に係る原画像と第２の画像に係る原画像を読み取り、縦方向のドット数をＩ、横方向のドット数をＪとして、前記第１の画像に係る原画像と前記第２の画像に係る原画像のサイズをＩ×Ｊ個のドットに対応するサイズに合わせるとともに、階調数Ｎを決定し、階調間引きを行ない、それぞれN階調の画像に変更することで、前記第１の画像と前記第２の画像の階調を算出し、
複数の小領域を縦にＩ個、横にＪ個並べて格子状に形成し、小領域ごとに設定される原点の位置を各小領域の左下隅の点の位置とし、前記原点からの横方向の変位を第１の変位、前記原点からの縦方向の変位を第２の変位とし、前記第１の変位の変位量として、前記第１の画像の対応するドットの階調に対応した値を設定し、前記第２の変位の変位量として、前記第２の画像の対応するドットの階調に対応した値を設定し、前記第１の変位および前記第２の変位で特定される位置に縦及び横にそれぞれ前記小領域の幅の２分の１の幅を有する小パターンを形成した印刷物と、
前記小領域の幅と万線の間隔が同じであり、万線の線幅が前記小領域の幅の２分の１である判別具とを用い、
前記印刷物に前記判別具を重ね合わせると前記第１の画像が形成され、前記印刷物に、前記判別具を90度回転させて重ね合わせると前記第２の画像が形成されることを特徴とする画像の形成方法。
【請求項２】
請求項１記載の画像の形成方法に用いられる印刷物であって、
第１の画像に係る原画像と第２の画像に係る原画像を読み取り、縦方向のドット数をＩ、横方向のドット数をＪとして、前記第１の画像に係る原画像と前記第２の画像に係る原画像のサイズをＩ×Ｊ個のドットに対応するサイズに合わせるとともに、階調数Ｎを決定し、階調間引きを行ない、それぞれN階調の画像に変更することで、前記第１の画像と前記第２の画像の階調を算出し、
複数の小領域を縦にＩ個、横にＪ個並べて格子状に形成し、小領域ごとに設定される原点の位置を各小領域の左下隅の点の位置とし、前記原点からの横方向の変位を第１の変位、前記原点からの縦方向の変位を第２の変位とし、前記第１の変位の変位量として、前記第１の画像の対応するドットの階調に対応した値を設定し、前記第２の変位の変位量として、前記第２の画像の対応するドットの階調に対応した値を設定し、前記第１の変位および前記第２の変位で特定される位置に縦及び横にそれぞれ前記小領域の幅の２分の１の幅を有する小パターンを形成した印刷物。
【請求項３】
第１の画像に係る原画像と第２の画像に係る原画像を読み取り、縦方向のドット数をＩ、横方向のドット数をＪとして、前記第１の画像に係る原画像と前記第２の画像に係る原画像のサイズをＩ×Ｊ個のドットに対応するサイズに合わせるとともに、階調数Ｎを決定し、階調間引きを行ない、それぞれN階調の画像に変更することで、前記第１の画像と前記第２の画像の階調を算出し、
複数の小領域を縦にＩ個、横にＪ個並べて格子状に形成し、小領域ごとに設定される原点の位置を各小領域の左下隅の点の位置とし、前記原点からの横方向の変位を第１の変位、前記原点からの縦方向の変位を第２の変位とし、前記第１の変位の変位量として、前記第１の画像の対応するドットの階調に対応した値を設定し、前記第２の変位の変位量として、前記第２の画像の対応するドットの階調に対応した値を設定し、前記第１の変位および前記第２の変位で特定される位置に縦及び横にそれぞれ前記小領域の幅の２分の１の幅を有する小パターンを形成した印刷物と、
前記小領域の幅と万線の間隔が同じであり、万線の線幅が前記小領域の幅の２分の１である判別具とを用い、
前記印刷物に前記判別具を重ね合わせると前記第１の画像または第２の画像が形成され、前記印刷物の複写物に前記判別具を重ね合わせると前記第１の画像または第２の画像が形成されないことにより印刷物と複写物とを判別することを特徴とする複写物の判別方法。
【発明の詳細な説明】
【０００１】
【発明の属する技術分野】
本発明は、印刷物、判別具、画像の形成方法、および複写物の判別方法に関するものである。
【０００２】
【従来の技術および発明が解決しようとする課題】
一般に、印刷物では面積変調方式によって画像が形成される。本発明の目的は、位相変調方式により画像を形成した印刷物を提供することにある。
【０００３】
【課題を解決するための手段】
前述した目的を達成するために第１の発明は、第１の画像に係る原画像と第２の画像に係る原画像を読み取り、縦方向のドット数をＩ、横方向のドット数をＪとして、前記第１の画像に係る原画像と前記第２の画像に係る原画像のサイズをＩ×Ｊ個のドットに対応するサイズに合わせるとともに、階調数Ｎを決定し、階調間引きを行ない、それぞれN階調の画像に変更することで、前記第１の画像と前記第２の画像の階調を算出し、複数の小領域を縦にＩ個、横にＪ個並べて格子状に形成し、小領域ごとに設定される原点の位置を各小領域の左下隅の点の位置とし、前記原点からの横方向の変位を第１の変位、前記原点からの縦方向の変位を第２の変位とし、前記第１の変位の変位量として、前記第１の画像の対応するドットの階調に対応した値を設定し、前記第２の変位の変位量として、前記第２の画像の対応するドットの階調に対応した値を設定し、前記第１の変位および前記第２の変位で特定される位置に縦及び横にそれぞれ前記小領域の幅の２分の１の幅を有する小パターンを形成した印刷物と、前記小領域の幅と万線の間隔が同じであり、万線の線幅が前記小領域の幅の２分の１である判別具とを用い、前記印刷物に前記判別具を重ね合わせると前記第１の画像が形成され、前記印刷物に、前記判別具を90度回転させて重ね合わせると前記第２の画像が形成されることを特徴とする画像の形成方法である。
第２の発明は、第１の発明の画像の形成方法に用いられる印刷物であって、第１の画像に係る原画像と第２の画像に係る原画像を読み取り、縦方向のドット数をＩ、横方向のドット数をＪとして、前記第１の画像に係る原画像と前記第２の画像に係る原画像のサイズをＩ×Ｊ個のドットに対応するサイズに合わせるとともに、階調数Ｎを決定し、階調間引きを行ない、それぞれN階調の画像に変更することで、前記第１の画像と前記第２の画像の階調を算出し、複数の小領域を縦にＩ個、横にＪ個並べて格子状に形成し、小領域ごとに設定される原点の位置を各小領域の左下隅の点の位置とし、前記原点からの横方向の変位を第１の変位、前記原点からの縦方向の変位を第２の変位とし、前記第１の変位の変位量として、前記第１の画像の対応するドットの階調に対応した値を設定し、前記第２の変位の変位量として、前記第２の画像の対応するドットの階調に対応した値を設定し、前記第１の変位および前記第２の変位で特定される位置に縦及び横にそれぞれ前記小領域の幅の２分の１の幅を有する小パターンを形成した印刷物である。
第３の発明は、第１の画像に係る原画像と第２の画像に係る原画像を読み取り、縦方向のドット数をＩ、横方向のドット数をＪとして、前記第１の画像に係る原画像と前記第２の画像に係る原画像のサイズをＩ×Ｊ個のドットに対応するサイズに合わせるとともに、階調数Ｎを決定し、階調間引きを行ない、それぞれN階調の画像に変更することで、前記第１の画像と前記第２の画像の階調を算出し、複数の小領域を縦にＩ個、横にＪ個並べて格子状に形成し、小領域ごとに設定される原点の位置を各小領域の左下隅の点の位置とし、前記原点からの横方向の変位を第１の変位、前記原点からの縦方向の変位を第２の変位とし、前記第１の変位の変位量として、前記第１の画像の対応するドットの階調に対応した値を設定し、前記第２の変位の変位量として、前記第２の画像の対応するドットの階調に対応した値を設定し、前記第１の変位および前記第２の変位で特定される位置に縦及び横にそれぞれ前記小領域の幅の２分の１の幅を有する小パターンを形成した印刷物と、前記小領域の幅と万線の間隔が同じであり、万線の線幅が前記小領域の幅の２分の１である判別具とを用い、前記印刷物に前記判別具を重ね合わせると前記第１の画像または第２の画像が形成され、前記印刷物の複写物に前記判別具を重ね合わせると前記第１の画像または第２の画像が形成されないことにより印刷物と複写物とを判別することを特徴とする複写物の判別方法である。
【０００４】
【発明の実施の形態】
以下、図面に基づいて本発明の実施の形態を詳細に説明する。図１は、本発明の実施の形態の概略説明図である。印刷物１上に判別具３を置くと、第１の画像を見ることができる。また、判別具３を９０度回転させると、第２の画像を見ることができる。
【０００５】
図２は、印刷物１上に形成されるパターンを示す図である。図３は小領域５の拡大図である。図２に示すように、印刷物１には小パターン９が多数形成される。図２において、７は格子線を示すが、この格子線７は便宜上加えたもので、実際の印刷物にはこのような格子線が形成されることはない。この格子線７により、印刷物１上に小領域（セル）５が形成され、その小領域５のそれぞれに小パターン９が形成される。
【０００６】
図３に示すように、小パターン９は位相変調方式により形成される。小領域５の左下隅の点１３を原点と、小パターン９の左下隅の点１１の座標（ｘ，ｙ）とした場合、変位ｘに第１の画像を埋め込み、変位ｙに第２の画像を埋め込む。
【０００７】
図４は、判別具３のパターンを示すものである。図５は、９０度回転させた判別具３を示す図である。
図６は、図２に示す印刷物１に図４に示す判別具３を重ね合わせた場合を示す。このとき、図７に示すように例えば富士山の画像（第１の画像）が形成される。すなわち、人は印刷物１に判別具３を載せて印刷物１を見ると、富士山の画像を見ることができる。
【０００８】
図８は、図２に示す印刷物１に図５に示すように９０度回転させた判別具３を重ね合わせた場合を示す。このとき、図９に示すように、りんごの画像（第２の画像）が形成される。すなわち、人は印刷物１に判別具３を載せて印刷物１を見ると、りんごの画像を見ることができる。
【０００９】
このように、印刷物１に判別具３を重ね合わせた状態で、第１の画像が形成され、印刷物１に９０度回転させた判別具３を重ね合わせた状態で、第２の画像が形成されるように、予め印刷物１に小パターン９を埋め込んでおく。
すなわち、図２に示す印刷物１では、印刷物１に判別具３を載せた場合、第１の画像が形成され、９０度回転させた判別具３を載せた場合、第２の画像が形成されるように、各小パターン９の位置が決定される。
【００１０】
このように、本実施の形態では、印刷物１に判別具３を載せた場合と、判別具３を９０度回転させた場合とで異なる画像を形成することができる。
【００１１】
次に、小パターン９の作成方法を更に具体的に説明する。図１０は、小パターン９を４階調の諧調変調方式で作成する場合に、印刷物１上に形成される１６個の小領域１５−１、１５−２、・・・、１５−１６を示す図である。印刷物１に埋め込まれる第１の画像と第２の画像を４階調で作成する場合には、図２の小領域（セル）５を８×８の領域に分割し、それぞれの小領域の階調は、「０」から「３」までの値を取るものとし、第１の画像の階調と第２の画像の階調によって、その８×８の領域のいずれかの４×４の領域を黒、その他の領域を白にすることにより形成する。
【００１２】
図１１は、図１０に縦方向に判別具３を重ね合わせた場合を示す。この場合には、各小領域１５−１、１５−２、・・・、１５−１６において、第１の画像の階調情報のみが現われる。
【００１３】
小領域１５−１、１５−５、１５−９、１５−１３で「０」の諧調、小領域１５−２、１５−６、１５−１０、１５−１４で「１」の諧調、小領域１５−３、１５−７、１５−１１、１５−１５で「２」の諧調、小領域１５−４、１５−８、１５−１２、１５−１６で「３」の諧調となる。
【００１４】
図１２は、図１０に横方向に判別具３を重ね合わせた場合を示す。この場合には、各小領域１５−１、１５−２、・・・、１５−１６において第２の画像の階調情報のみが現われる。
【００１５】
小領域１５−１、１５−２、１５−３、１５−４で「０」の諧調、小領域１５−５、１５−６、１５−７、１５−８で「１」の諧調、小領域１５−９、１５−１０、１５−１１、１５−１２で「２」の諧調、小領域１５−１３、１５−１４、１５−１５、１５−１６で「３」の諧調となる。
【００１６】
次に図１３と図１４を使って、Ｎ階調で第１の画像と第２の画像を形成する印刷物１を作成する処理について、さらに詳しく説明する。図１３は、印刷物１と判別具３の作成処理を示すフローチャートである。まず、原画像を入力する。たとえばスキャナで第１の画像（図７に示す例えば富士山の画像）と第２の画像（図９に示す例えばりんごの画像）を読み込む（ステップ１０１）。次に原画像のサイズを合わせる。即ち、第１の画像と第２の画像のサイズが合っているか否かをチェックする（ステップ１０２）。サイズが合っている場合には何も処理を行なわないが、サイズが異なる場合には、画像の拡大、縮小、切り取り、張り付け等の処理により、第１の画像と第２の画像のサイズを合わせる。
【００１７】
次に第１の画像と第２の画像を基にして、図２に示すような出力画像を作成し（ステップ１０３）、第１の画像と第２の画像を基にして判別具３を作成する（ステップ１０４）。そして、画像を保存し出力する。即ち、出力画像、判別具３を記憶装置に保存し、イメージセッタ等の出力装置によって出力する（ステップ１０５）。
【００１８】
図１４はステップ１０３の処理を示すフローチャートである。図１４に基づいて、図１３のステップ１０３の処理を詳細に説明する。まず、第１の画像と第２の画像のサイズ（ＩｘＪ）を合わせる（ステップ２０１）。ここで図２に示されるように、Ｉは縦方向のドット数で、Ｊは横方向のドット数である。次に、階調数Ｎを決定し（ステップ２０２）、階調間引きを行ない、第１の画像と第２の画像をＮ階調の画像に変更する（ステップ２０３）。そして、作成画像の座標（ｘ、ｙ）＝（ｉ、ｊ）とし、ｉとｊの初期値に共に「０」を与える（ステップ２０４）。
【００１９】
次に、座標値（ｘ、ｙ）＝（ｉ、ｊ）の小領域（セル）５を作成する。即ち、図３に示すようなｘの変位量に第１の画像を埋め込み、ｙの変位量に第２の画像を埋め込む（ステップ２０５）。次に、ｉがＩに等しいかを判定し（ステップ２０６）、ｉがＩに等しくない場合には、ｉ＝ｉ＋１に置き換えて（ステップ２０７）、ｉがＩに等しくなるまで、ステップ２０５の処理を繰り返す。ステップ２０６でｉがＩに等しい場合には、画像作成部は、ｊがＪに等しいかを判定し（ステップ２０８）、ｊがＪに等しくない場合には、ｉ＝０、ｊ＝ｊ＋１に置き換えて（ステップ２０７）、ｊがＪに等しくなるまでステップ２０５以下の処理を繰り返す。ステップ２０８でｊがＪに等しい場合には、処理を終了する。
【００２０】
なお、前述した実施の形態では、小パターン９は正方形としたが、円形、あるいはその他の形状とすることもできる。すなわち、印刷物１と判別具３のパターンは、判別具３を印刷物１に載せた場合と、判別具３を９０度回転させて印刷物１に載せた場合とで異なる画像が形成されるようなパターンであればどのようなパターンであってもよい。
【００２１】
また、図２に示す印刷物１を偽造防止用に用いることもできる。図１５は、図２に示す印刷物１を複写機で複写した場合のパターンである。たとえば、金券、証券、定期券等の印刷物の所定の領域に図２に示すようなパターンを埋め込んでおく。この領域に判別具３を載せると所定の画像を見ることができる。この場合、判別具３の方向により２種類の画像が形成される。
【００２２】
ところが、図２のパターンを複写機で再現できない程度の大きさで作成し、組み込んだ定期券等の印刷物を複写した場合、所定の領域のパターンは、濃度一定の画像とみなされ、万線変調されるため図１５に示すようなものになるので、この上に判別具３を載せても所定の画像が見られない。したがって、定期券等の所定の領域に判別具３を載せることにより、オリジナルの定期券であるか複写物であるかを判別することができる。
【００２３】
【発明の効果】
以上、詳細に説明したように本発明によれば、位相変調方式により画像を形成した印刷物を提供することができる。
【図面の簡単な説明】
【図１】  本実施の形態の概略説明図
【図２】  印刷物１のパターンを示す図
【図３】  小領域５を示す図
【図４】  判別具３を示す図
【図５】  ９０度回転させた判別具３を示す図
【図６】  印刷物１に図４に示す判別具３を載せた場合の説明図
【図７】  図６の画像を示す図
【図８】  印刷物１に図５に示す判別具３を載せた場合の説明図
【図９】  図８の画像を示す図
【図１０】  第１の画像と第２の画像を４階調で作成する場合に、印刷物１上に形成される可能性のある１６個の小領域１５−１、１５−２、・・・、１５−１６を示す図
【図１１】  図１０に縦方向に判別具３を載せた場合の説明図
【図１２】  図１０に横方向に判別具３を載せた場合の説明図
【図１３】  印刷物１と判別具３の作成処理を示すフローチャート
【図１４】  ステップ１０３の処理を示すフローチャート
【図１５】  図２に示す印刷物１の複写物のパターンを示す図
【符号の説明】
１………印刷物
３………判別具
５、１５………小領域
９………小パターン
【図１】
0004132122.tif 000002
【図２】
0004132122.tif 000003
【図３】
0004132122.tif 000004
【図４】
0004132122.tif 000005
【図５】
0004132122.tif 000006
【図６】
0004132122.tif 000007
【図７】
0004132122.tif 000008
【図８】
0004132122.tif 000009
【図９】
0004132122.tif 000010
【図１０】
0004132122.tif 000011
【図１１】
0004132122.tif 000012
【図１２】
0004132122.tif 000013
【図１３】
0004132122.tif 000014
【図１４】
0004132122.tif 000015
【図１５】
0004132122.tif 000016